(57)【要約】      （修正有）【課題】劣化の度合いを減少させ、変形や破損のおそれを減少させることのできるソケットカバーを提供する。【解決手段】配管側接続部が挿嵌可能な挿嵌部と、本体部２４が嵌合可能な嵌合部４２とが備えられ、嵌合部４２には、弾性拡開可能に設けられ本体部２４がその横方向から挿嵌可能に設けられる開口部４６と、本体部２４の４つの外周面のうち、３つの面がそれぞれ当接可能な第一当接面５２、第二当接面５３及び第三当接面５４と、開口部４６の開口端部に、本体部２４の外周面の一部の部位に当接可能に突設された固定用リブ６０と、から構成されるとともに非弾性的に本体部２４を保持する保持部６２を設けた。また、固定用リブ６０と対向する開口部４６の端部の奥側に、挿嵌される本体部２４の角部を第三当接面５４に誘導可能なテーパー部５８を設けた。【選択図】図６
2011179192.tif 000002
【特許請求の範囲】
【請求項１】
浴室などの躯体壁面裏側に引き回された給湯配管・給水配管などの端部に取り付けられた端末具と給水栓本体とを接続するためにクランク状に形成されるとともに、配管側に接続され円筒状に形成された配管側接続部と、配管側接続部端部に連接され配管側接続部軸心に対して直角に屈曲形成されるとともに横断面矩形状に形成される本体部と、本体部の配管側接続部が設けられる端部とは反対側の端部に連接されるとともに本体部に対して直角に屈曲形成され円筒状に形成された給水栓側接続部とを備えたソケットを被覆する筒状のソケットカバーであって、
前記ソケットの前記配管側接続部又は前記給水栓側接続部のいずれかが挿嵌可能な挿嵌部と、前記本体部が嵌合可能な嵌合部とが備えられ、
該嵌合部には、
弾性拡開可能に設けられ前記ソケットの前記本体部がその横方向から挿嵌可能に設けられる開口部と、
前記本体部の４つの外周面のうち、３つの面の少なくとも一部の部位がそれぞれ当接可能な第一当接面、第二当接面及び第三当接面と、前記開口部の開口端部に、前記本体部の残りの１つの外周面の一部の部位に当接可能に突設された固定用リブと、から構成されるとともに非弾性的に本体部を保持する保持部とが備えられたことを特徴とするソケットカバー。
【請求項２】
前記挿嵌部は前記ソケットの配管側接続部を挿嵌可能に設けられたことを特徴とする請求項１に記載のソケットカバー。
【請求項３】
前記開口部の両端部のうちの一方に前記固定用リブが備えられ、前記固定用リブと対向する開口部の端部の奥側に、挿嵌される本体部の角部を当接面に誘導可能なテーパー部が備えられたことを特徴とする請求項１又は請求項２に記載のソケットカバー。
【請求項４】
前記固定用リブはソケットカバーの背面側に、前記テーパー部はソケットカバーの正面側に設けられたことを特徴とする請求項１から請求項３のいずれかに記載のソケットカバー。
【発明の詳細な説明】
【技術分野】
【０００１】
本発明は、給水栓本体と給湯配管・給水配管等とを接続するソケットを被覆するソケットカバーに関する。
【背景技術】
【０００２】
従来、浴室などの躯体壁面裏側に引き回された給湯配管・給水配管などの端部に取り付けられた端末具と給水栓本体とは、クランク状に形成された「ソケット」を介して接続されている。このクランク状に形成されたソケットは、より具体的には、図１０に示されるように、配管側に接続されるとともに円筒状に形成された配管側接続部２２と、配管側接続部２２端部に連接されるとともに配管側接続部２２軸心に対して直角に屈曲形成された本体部２４と、本体部２４の配管側接続部２２と反対側の端部に連接されるとともに本体部２４に対して直角に屈曲形成された円筒状の給水栓側接続部２６とからなる。そして、特に、温水湯沸かし器などの給湯源からの高温水（約８０℃以上）が流入する湯側ソケット２０においては、使用者が直接触れないようにするなどのために、湯側ソケット２０を被覆する合成樹脂製のソケットカバー８０が取り付けられていることが多い。
【０００３】
そして、このようなソケットカバー８０は、図１０及び図１１に示されるように、円筒状の配管側接続部２２又は給水栓側接続部２６のいずれか又は双方に、固定用爪８２を弾性的に抱持させるようにして取り付けられている。これをより具体的に説明すると、図１１（ａ）に示されるように、内側に向けて湾曲された二つの固定用爪８２は、その先端間が、配管側接続部２２又は給水栓側接続部２６の外径よりも短く設けられており、図１１（ｂ）に示されるように、これらの固定用爪８２を拡開するように弾性変形させて配管側接続部２２又は給水栓側接続部２６を内部に挿入していき、図１１（ｃ）に示されるように、両固定用爪８２によって配管側接続部２２又は給水栓側接続部２６を抱持させるようにして湯側ソケット２０に取り付けられる（例えば、特許文献１参照。）。
【先行技術文献】
【特許文献】
【０００４】
【特許文献１】特開平８−２４６５２４号公報（図２、図５、図７）
【発明の概要】
【発明が解決しようとする課題】
【０００５】
ソケットカバー８０は清掃などのメンテナンスのために湯側ソケット２０などから取り外す必要があるが、取り外し・取り付けの際に弾性拡開動作を繰り返すうちに固定用爪８２が劣化し易い。特に湯側ソケット２０においては、前述のように湯水混合水栓の使用時には、常時８０℃程度の高温水が流れているため、高温に熱せられた湯側ソケット２０に常時接触又は近接している固定用爪８２はこのような弾性拡開動作の影響による劣化が著しい。また、図１１（ｃ）に示すような湯側ソケット２０への抱持状態において、配管側接続部２２又は給水栓側接続部２６が両固定用爪８２内に圧入されている状態においては、固定用爪８２に、拡開方向に向けて常に応力が加わっているため、一層劣化が著しくなる。そして、使用者が誤った取り付け方法などを行うなど無理な力を加えた場合、このような劣化により固定用爪８２が変形したり、破損するおそれが生じていた。
【０００６】
本発明は前述した従来技術の問題点を解決しようとするものであり、劣化の度合いを減少させ、変形や破損のおそれを減少させることのできるソケットカバーを提供することを目的とする。
【０００７】
本発明の第一の手段は、
浴室などの躯体壁面裏側に引き回された給湯配管・給水配管などの端部に取り付けられた端末具と給水栓本体とを接続するためにクランク状に形成されるとともに、配管側に接続され円筒状に形成された配管側接続部と、配管側接続部端部に連接され配管側接続部軸心に対して直角に屈曲形成されるとともに横断面矩形状に形成される本体部と、本体部の配管側接続部が設けられる端部とは反対側の端部に連接されるとともに本体部に対して直角に屈曲形成され円筒状に形成された給水栓側接続部とを備えたソケットを被覆する筒状のソケットカバーであって、
前記配管側接続部又は給水栓側接続部のいずれかが挿嵌可能な挿嵌部と、前記本体部が嵌合可能な嵌合部とが備えられ、
該嵌合部には、
弾性拡開可能に設けられ前記本体部がその横方向から挿嵌可能に設けられる開口部と、
前記本体部の４つの外周面のうち、３つの面の少なくとも一部の部位がそれぞれ当接可能な第一当接面、第二当接面及び第三当接面と、前記開口部の開口端部に、前記本体部の残りの１つの外周面の一部の部位に当接可能に突設された固定用リブと、から構成されるとともに非弾性的に本体部を保持する保持部とが備えられたことを特徴とするソケットカバーである。
【０００８】
本発明のソケットカバーは、前述のように３つの当接面と固定用リブとによりソケットの本体部を非弾性的に保持可能に構成されている。よって、ソケットカバーは、ソケットに取り付けられた状態においては当接面などに常時荷重がかかることがない。したがって、ソケットカバーの劣化を減少させることができる。一方、ソケットカバーのソケットへの取り付けの際には、開口部を弾性拡開して本体部を保持部内に挿嵌可能に構成されているとともに、開口部の端部に備えられた固定用リブにより本体部からのソケットカバーの脱落防止が図られている。なお、ソケットの本体部について「横断面矩形状」とは、矩形状自体の他に、矩形状の角部にＲを形成したものも含む趣旨である。
【０００９】
また、本発明のソケットカバーは、嵌合部の他には、ソケットの両接続部のうちのいずれかのみが挿嵌可能な挿嵌部を備えるだけであり、接続部の両方を挿嵌する全体構成とはなっていない。よって、本発明のソケットカバーは、二つの挿嵌部を備えるソケットカバーに比べて全体を短くすることができ、必要とされる原材料を低減させることができる。
【００１０】
本発明の第二の手段は、前記のソケットカバーにおいて、前記挿嵌部は前記ソケットの配管側接続部を挿嵌可能に設けられたことを特徴とするものである。
【００１１】
クランク状に形成されたソケットは、水栓本体の背面側に突設された接続口に接続される給水栓側接続部と、給湯配管・給水配管側に接続される配管側接続部と、これらの両接続部をつなぐ本体部とを備えている。よって、このようなソケットが取り付けられた状態では、給水栓側接続部は水栓本体の背面の部位に位置するのに対し、配管側接続部は給水栓側接続部から本体部の長さの分だけ距離を空けて位置することになる。したがって、給水栓側接続部は水栓本体の背面に隠れて、水栓の使用者の手などが触れがたい位置に配置されるのに対し、配管側接続部は水栓本体の背面から離れた位置に配置されることになる。本発明のソケットカバーにおいては、挿嵌部によってこのような配管側接続部を被覆できるとともに本体部に対して嵌合可能な嵌合部を備えているので、給水栓側接続部を被覆する部位を備えていなくてもソケットに確実に固定することができる。よってまた、ソケットカバーは給水栓側接続部を被覆する部位を備えておらず、短く設けることができる。
【００１２】
そして、水栓本体の接続口の近くに位置する部材、例えば、浴室の壁面に設置される湯水混合水栓においては、水栓本体の背面上方にシャンプーボトルなどを載置するためのカウンターが設置されていることが多いが、給水栓側接続部を被覆する部位を備えていないので、カウンターなどの水栓本体に近い部材に接触する可能性を低くすることができる。よって、ソケットカバーの取り付け作業の際に、周辺の部材が妨げになるおそれを減少させることができる。一方で、水栓本体の背面側に位置する給水栓側接続部については、水栓本体によって使用者が触れるおそれが少ないので、使用者の安全性を損ねることはない。
【００１３】
本発明の第三の手段は、前記のソケットカバーにおいて、前記開口部の両端部のうちの一方に前記固定用リブが備えられ、前記固定用リブと対向する開口部の端部の奥側に、挿嵌される本体部の角部を当接面に誘導可能なテーパー部が備えられたことを特徴とするものである。
【００１４】
ソケットカバーは固定用リブと反対側の開口部の端部の奥側に、当接面に本体部の角部を誘導可能なテーパー部が備えられているので、保持部内に本体部を円滑に誘導することができる。また、ソケットカバーはテーパー部によって、本体部を挿嵌する際の開口部の弾性拡開量を少なくすることができるので、ソケットの取り付け・取り外しを繰り返す際の開口部や固定用リブの劣化を少なくすることができる。なお、本発明のソケットカバーにおけるテーパー部の角度は、本体部の横断面の形状、固定用リブの本体部の縦の長さなどにより適切に定められる。
【００１５】
第四の手段は、前記のソケットカバーにおいて、
前記固定用リブはソケットカバーの背面側に、前記テーパー部はソケットカバーの正面側に設けられたことを特徴とするものである。
【００１６】
ソケットカバーはテーパー部をソケットカバーの正面側に設けることにより、ソケットカバーをソケットに取り付けた状態では、ソケットの本体部はテーパー部よりも背面側に位置し、嵌合部の正面側の壁面との間に隙間が生じることになる。よって、高温水が流れる湯側のソケットに本ソケットカバーが取り付けられる場合には、使用者が目視することができるソケットカバーの正面側の部位の熱による劣化が少なく、ソケットカバーの美観が損なわれ難い。また、使用者が触れ易いソケットカバーの正面側の部位が熱せられ難く、使用者が火傷を負うなどのおそれをより一層減少させることができる。
【発明の効果】
【００１７】
本発明のソケットカバーは前述のように構成され、非弾性的に本体部を保持する保持部が備えられているので、ソケットに取り付けた状態において当接面などに常時荷重がかかることがなく、ソケットカバーの劣化を減少させることができる。特に、高温水の熱による劣化の度合いが大きい湯側のソケットにおいてはより劣化の度合いを減少させることができるので好適である。また、ソケットカバーはソケットの本体部において固定されソケットの接続部の両方を被覆する必要が無いので、ソケットカバーを短くすることができ、原材料を低減させて製造コストを低減させることができる。また、請求項２のソケットカバーでは、これらの効果に加え、カウンターなどの水栓本体の周辺の部材に干渉し難く、取り付け・取り外し作業を円滑に行うこともできる。また、請求項３のソケットカバーでは、これらの効果に加え、テーパー部を設けることにより、本体部の取り付け・取り外し時の開口部の拡開量を少なくすることができるので、取り付け・取り外しの作業を円滑に行うこともできる。また、請求項４のソケットカバーでは、これらの効果に加え、約８０℃以上の高温水が流れる湯側のソケットに装着される場合に、ソケットカバー正面側に熱が伝わり難くすることにより、ソケットカバーの美観を向上させ、使用者の火傷のおそれなどをより一層減少させることもできる。
【図面の簡単な説明】
【００１８】
【図１】本発明のソケットカバーを湯側ソケットに取り付けた給水栓の正面側斜視図である。
【図２】図１の給水栓の背面側斜視図である。
【図３】ソケットカバー及び湯側ソケットの右側面図である。
【図４】（ａ）ソケットカバーの正面図、（ｂ）同背面図、（ｃ）同左側面図、（ｄ）同右側面図、（ｅ）同平面図、（ｆ）同底面図、（ｇ）同Ａ−Ａ線断面図である。
【図５】ソケットカバーのソケットへの取り付けを説明するためのソケットカバー及び湯側ソケットの斜視図である。
【図６】ソケットカバーのソケットへの取り付けを説明するためのソケットカバー及び湯側ソケットの要部横断面図である。
【図７】別のソケットカバー及び湯側ソケットの要部横断面図である。
【図８】さらに別のソケットカバー及び湯側ソケットの要部横断面図である。
【図９】さらに別のソケットカバー及び湯側ソケットの要部横断面図である。
【図１０】従来のソケットカバーのソケットへの取り付けを説明するためのソケットカバー及び湯側ソケットの斜視図である。
【図１１】従来のソケットカバーのソケットへの取り付けを説明するためのソケットカバー及び湯側ソケットの要部横断面図である。
【発明を実施するための形態】
【００１９】
次に、本発明のソケットカバーの実施の形態を図を参考にして詳細に説明する。本発明のソケットカバー１ａは、図１及び図２に示されるように、壁面Ｘに対して取り付けられ「壁付き水栓」と呼ばれるタイプの湯水混合水栓２と、壁面１裏側に引き回された給湯配管・給水配管の端末具（図示省略）とを接続するクランク状の湯側ソケット２０を被覆しながら、湯側ソケット２０に取り付けられているものである。
【００２０】
湯水混合水栓２には、横長の水栓本体３と、水栓本体３の左側端部に回動自在に取り付けられた温度調節ハンドル４と、水栓本体３の右側端部に回動自在に取り付けられた吐水切換ハンドル５と、水栓本体３の下部中央正面側寄りに突設された吐水口６が備えられている。また、図２に示されるように、水栓本体３の背面側には、シャワーホース（図示省略）に接続されるシャワー接続口７が突設されている。そして、水栓本体３の背面側には、図示は省略するが、湯側ソケット２０と水側ソケット２１とがそれぞれ接続される湯側接続口及び水側接続口が突設されている。
【００２１】
このように構成された湯水混合水栓２は、給湯配管から流入される約８０℃の湯が湯側ソケット２０から水栓本体３内に流入され、給水配管から流入される水が水側ソケット２１から水栓本体３内に流入され、これらが水栓本体３内において温度調節ハンドル４により駆動される弁装置（図示省略）により所望の温度の湯水に混合され、さらに吐水切換ハンドル５により駆動される弁装置（図示省略）により吐水口６又はシャワー接続口７への吐水切換及び吐水量調節が行われて、吐水口６又はシャワーのいずれかから所望の温度で適宜量の湯水が吐出されるように構成されている。
【００２２】
図３に示されるように、湯側ソケット２０は全体がクランク状に形成されている。より詳細には、湯側ソケット２０は給湯配管側に接続され円筒状に形成された配管側接続部２２と、配管側接続部２２の端部に連接され配管側接続部２２軸心に対して直角に屈曲形成されるとともに横断面矩形状に形成される本体部２４と、本体部２４のうち、配管側接続部２２が設けられる端部とは反対側の端部に連接されるとともに本体部２４に対して直角に屈曲形成され円筒状に形成された給水栓側接続部２６とが備えられて、全体がクランク状に形成されている。そして湯側ソケット２０の内部には、給湯配管から水栓本体３の湯側接続部に湯を流入させるための連通孔が形成されている。なお、詳細は省略するが、水側ソケット２１についても、湯側ソケット２０とほぼ同様に構成されている。
【００２３】
なお、本例においては、ソケットカバー１ａは湯側ソケット２０に取り付けられているが、水側ソケット２１に取り付けることを除くものではない。また、必要であれば、通常の湯・水以外を連通させるソケットに取り付けることとしても良い。
【００２４】
ソケットカバー１ａは、図４に示されるように、正面視において縦長のほぼ長方形状に形成され、側面視において、正面側に向けて円筒部４８が突設されたほぼ「Ｌ字」状に形成されている。そしてソケットカバー１ａには、下部に挿嵌部４０が、上部に嵌合部４２が備えられている。
【００２５】
ソケットカバー１ａの上部の嵌合部４２の先端には、湯側ソケット２０へ取り付けた状態において湯側ソケット２０の本体部２４が挿通されるように開口された第一挿通口４３が形成されている。ソケットカバー１ａの第一挿通口４３を構成する正面側壁面４４及び背面側壁面４５先端は中央付近がやや先端方向に突出した円弧状に形成されている。また、ソケットカバー１ａの正面視右側面には、湯側ソケット２０に取り付ける際に、湯側ソケット２０をその側部から挿嵌可能な開口部４６が形成されている。
【００２６】
ソケットカバー１ａの正面側壁面４４の下部の挿嵌部４０の正面側の部位には、先端が有底状の円筒部４８が正面側に向けて形成されている。そしてソケットカバー１ａの円筒部４８の先端底部には、湯側ソケット２０に設けられた調整スピンドル２８を調整するための調整口４９が開設されている。
【００２７】
また、ソケットカバー１ａの背面側壁面４５の下部の挿嵌部４０の背面側の部位には、円弧状に切欠かれた第二挿通孔５０が形成されている。第二挿通孔５０は、湯側ソケット２０の円筒状に形成された配管側接続部２２の外周面に装着される部位であり、配管側接続部２２の外径とほぼ同一の内径の円弧状に切欠かれている。そして、正面視左側における、正面側壁面４４と背面側壁面４５との間には、これらを連接する側壁面４７が備えられている。
【００２８】
ソケットカバー１ａは嵌合部４２の開口部４６は平面視がほぼ矩形状に形成されている。前記開口部４６内には、第一当接面５２、第二当接面５３及び第三当接面５４が設けられている。前記第一当接面５２は、背面側壁面４５の内壁面から構成されており、その平面視における長さは、湯側ソケット２０の本体部２４の長手方向の長さとほぼ同一である。また、開口部４３内には、図４（ｄ）に示されるように、その上下方向においてそれぞれ形成された第一リブ５６と第二リブ５７とが設けられている。前記第二当接面５３は、これらの第一リブ５６及び第二リブ５７のうち、側壁面４７の内壁面から立設された第一突設部５６ａ及び第一突設部５７ａの先端面から構成されている。第一突設部５６ａ及び第一突設部５７ａの先端面は側壁面４７の内壁面と平行に形成されている。平面視における第二当接面５３の長さは、本体部２４の短手方向の長さとほぼ同一に設けられている。また、前記第三当接面５４は、これらの第一リブ５６及び第二リブ５７のうち、正面側壁面４４の内壁面から立設されるとともに第一突設部５６ａ及び第一突設部５７ａと連接される第二突設部５６ｂ及び第二突設部５７ｂの先端面から構成されている。第二突設部５６ｂ及び第二突設部５７ｂの先端面は正面側壁面４４の内壁面と平行に形成されている。
【００２９】
ソケットカバー１ａの第二突設部５６ｂ及び第二突設部５７ｂには、開口部４６に向けて正面側壁面４４方向に傾斜するテーパー部５８が連接されている。テーパー部５８は、正面側壁面４４に対して３０度傾斜した角度に設けられている。なお、テーパー部５８の角度は本体部２４の横断面の形状、固定用リブ６０の本体部２４の縦の長さに対する比率などによって適宜の角度に定められれば良いが、本例のように、第三当接面５４の長さ：第二当接面５３の長さ：第一当接面５２の長さ：固定用リブ６０の長さ：固定用リブ６０の厚み＝１：４．８：１０．５：１．３：０．５の時に約３０度とすると、後述するように湯側ソケット２０の本体部２４への取り付け・取り外しを円滑に行うことができる。
【００３０】
本例では、テーパー部５８をソケットカバー１ａの正面側に設けることにより、図３に示されるように、ソケットカバー１ａを湯側ソケット２０に取り付けた状態では、湯側ソケット２０の本体部２４の正面側の外周面はソケットカバー１ａの正面側壁面４４から奥側に位置し、ソケットカバー１ａは湯側ソケット２０と正面側壁面４４との間に隙間が生じることになる。よって、高温水が流れる湯側ソケット２０に本ソケットカバー１ａが取り付けられる場合には、使用者が目視することができるソケットカバー１ａの正面側壁面４４に熱が伝わり難い。よって、熱による劣化が少なく、ソケットカバー１ａの美観が損なわれ難い。また、使用者が触れ易いソケットカバー１ａの正面側壁面４４が熱せられ難いので、使用者が火傷を負うなどのおそれをより一層減少させることができる。もっとも本発明では、テーパー部５８を背面側壁面４６に、固定用リブ６０を正面側壁面４４に設けることも可能である。
【００３１】
また、本例のソケットカバー１ａにおいては、第二当接面５３及び第三当接面５４を第一突設部５６ａ及び第一突設部５７ａ及び第二突設部５６ｂ及び第二突設部５７ｂの先端面とすることにより、湯側ソケット２０をソケットカバー１ａに取り付けた状態においても、正面側壁面４４及び側壁面４７に湯側ソケット２０の本体部２４の大部分が直接は接触しないように構成されている。よって、湯側ソケット２０内を流通する高温水の熱が正面側壁面４４及び側壁面４７により一層伝わり難い。なお、本発明のソケットカバー１ａにおいては、前述の例のように第二当接面５３、第三当接面５４又はテーパー部５８を第一リブ５６や第二リブ５７の先端面などとするのではなく、例えば、より幅広の突提状の部位の先端面としてもよい。このような場合には、一つの突提状の部位のみにより第二当接面、第三当接面又はテーパー部を構成してもよい。また逆に、３つ以上のリブを設けることとして第二当接面、第三当接面又はテーパー部を構成してもよい。
【００３２】
また、ソケットカバー１ａは背面側壁面４５側の開口部４６の端部には側面視において長方形の板状の固定用リブ６０が突設されている。固定用リブ６０は、図４（ｄ）に示されるように、ソケットカバー１ａの上下方向における二つの第一リブ５６及び第二リブ５７のほぼ中央付近の部位に設けられており、背面側壁面４５の端部から正面側壁面４４に向けて突設されている。またその幅は、二つの第一リブ５６と第二リブ５７の間隔の約３分の１に設けられている。前述したように、この固定用リブ６０と側壁面４７とにより挟まれる第一当接面５２は湯側ソケット２０の本体部２４の横断面の横方向の長さと同じ幅に形成されている。また、固定用リブ６０の先端と、正面側壁面４４との間隔は、本体部２４の縦方向の長さよりもわずかに小さく設けられており、取り付けられた本体部２４からソケットカバー１ａが容易に外れないように設けられている。
【００３３】
このように、ソケットカバー１ａはこれらの第一当接面５２、第二当接面５３及び第三当接面５４並びに固定用リブ６０により、湯側ソケット２０の本体部２４を保持する保持部６２が構成されている。そしてこの保持部６２においては、前述のように、保持する湯側ソケット２０の本体部２４の外形に沿うような形状とされており、本体部２４に対して弾性的に圧着されない内形形状とされている。
【００３４】
次いで、このソケットカバー１ａの湯側ソケット２０への取り付け方法について説明する。図５に示されるように、まず、湯側ソケット２０の調整スピンドル２８が設けられた部位をソケットカバー１ａの円筒部４８内に差し込むようにして挿嵌部４０内に挿嵌する。ついで、ソケットカバー１ａを正面視において時計回り（図中の矢印方向）に回転させて、嵌合部４２を湯側ソケット２０の本体部２４に嵌合させる。この際には、図６（ａ）から（ｄ）に示されるようにしてソケットカバー１ａを湯側ソケット２０に嵌合させる。まず図６（ａ）に示されるように、ソケットカバー１ａの開口部４６から湯側ソケット２０の本体部２４が挿入されるようソケットカバー１ａの嵌合部４２を挿嵌していく。この際には、前述のように、ソケットカバー１ａの固定用リブ６０の先端と、正面側壁面４４との間隔は、湯側ソケット２０の本体部２４の縦方向の長さよりもわずかに小さく設けられているので、湯側ソケット２０の挿入の際には、固定用リブ６０が本体部２４に押されて背面側壁面４５が僅かに外側に撓まされる。
【００３５】
さらに湯側ソケット２０をソケットカバー１ａの挿嵌部４０内に嵌合部４２を挿嵌していくと、図６（ｂ）に示されるように、湯側ソケット２０の本体部２４の角部がソケットカバー１ａのテーパー部５８に至り、テーパー部５８を上るように本体部２４がソケットカバー１ａの第三当接面５４に向かって誘導される。この際において、湯側ソケット２０の本体部２４の背面はソケットカバー１ａの固定用リブ６０に当接された位置のままであるので、ソケットカバー１ａは、平面視において湯側ソケット２０の本体部２４に対してやや左下がりに傾斜するようにして本体部２４に挿嵌されていく。さらにソケットカバー１ａを湯側ソケット２０の本体部２４に挿嵌していくと、図６（ｃ）に示されるように、湯側ソケット２０の本体部２４の角部がソケットカバー１ａのテーパー部５８を乗り越えて第三当接面５４に至る。この際にも、未だ湯側ソケット２０の本体部２４の背面側は固定用リブ６０に当接された位置のままであるので、ソケットカバー１ａは、平面視において湯側ソケット２０の本体部２４に対してやや左下がりに傾斜するようにして本体部２４に挿嵌され、この状態では固定用リブ６０が本体部２４に押されて背面側壁面４５が僅かに外側に撓まされたままの状態である。しかしながら、ソケットカバー１ａはテーパー部５８を設けているので、取り付けの際の背面側壁面４５の撓みは小さくなるように構成されている。
【００３６】
そして、図６（ｄ）に示されるように、湯側ソケット２０の本体部２４の角部が第三当接面５４の奥端に到達する位置までソケットカバー１ａが回転されて本体部２４が押し込まれると、本体部２４がソケットカバー１ａの固定用リブ６０をすべて乗り越えて、保持部６２内に収容保持されることになる。前述のように、ソケットカバー１ａの保持部６２を構成する第一当接面５２、第二当接面５３及び第三当接面５４並びに固定用リブ６０は本体部２４の外形に沿う形状とされており、本体部２４に非弾性的に当接する形状に形成されているので、湯側ソケット２０の本体部２４に取り付けられたソケットカバー１ａの保持部６２には、本体部２４に対して圧着することによる加重は加えられない状態となっている。また、図６（ｄ）に示されるように、本体部２４に取り付けられた状態において、正面側壁面４４と湯側ソケット２０の本体部２４との間には隙間が設けられるように構成されている。また、ソケットカバー１ａの第二当接面５３及び第三当接面５４は、第一リブ５６及び第二リブ５７の先端面に形成されているので、湯側ソケット２０の本体部２４は側壁面４７にも直接当接しないように構成されている。なお、ソケットカバー１ａの湯側ソケット２０からの取り外しの際には、前述とは逆の順序で作業をおこなえばよい。この取り外しの際にも、ソケットカバー１ａは、テーパー部５８により背面側壁面４５の撓みは小さくなるように構成されている。
【００３７】
本発明のソケットカバーは前述の例に限られるものではなく、本発明の趣旨の範囲内で種々の変更が可能である。ついで本発明の別の実施の形態について説明する。図７に示されるのは、前述の例とは異なりテーパー部を省略したソケットカバー１ｂである。このソケットカバー１ｂは第三当接面５４から正面側壁面４４へ段部状に形成されており、テーパー部は設けられていない。このソケットカバー１ｂにおいても、保持部６２を構成する第一当接面５２、第二当接面５３及び第三当接面５４並びに固定用リブ６０は、本体部２４の外形に沿う形状とされており、湯側ソケット２０の本体部２４に非弾性的に当接する形状に形成されているので、本体部２４に取り付けられたソケットカバー１ｂの保持部６２には、本体部２４に対して圧着することによる加重は加えられない状態となっている。
【００３８】
図８に示されるのは、テーパー部を省略するとともに、前述の例とは異なり第一当接面５２についても第一リブ５６及び第二リブ５７の第三突設部５６ｃ及び第三突設部５７ｃ（図示省略）によって構成したソケットカバー１ｃである。また、ソケットカバー１ｃは開口部４６の前後に、それぞれ固定用リブ６０を設けている。このソケットカバー１ｃでは第三当接面５４から正面側壁面４４へ段部状に形成され、同様に第一当接面５２から背面側壁面４５へ段部状に形成されて、それぞれテーパー部は設けられていない。このソケットカバー１ｃにおいても、保持部６２を構成する第一当接面５２、第二当接面５３及び第三当接面５４並びに固定用リブ６０は湯側ソケット２０の本体部２４の外形に沿う形状とされており、本体部２４に非弾性的に当接する形状に形成されているので、本体部２４に取り付けられたソケットカバー１ｃの保持部６２には、本体部２４に対して圧着することによる加重は加えられない状態とされている。
【００３９】
図９に示されるのは、テーパー部を省略するとともに、前述の例とは異なり第一当接面５２、第二当接面５３及び第三当接面５４のすべてをソケットカバー１ｄの各壁面の内壁面によって構成したものである。また、ソケットカバー１ｄは開口部４６の前後に、それぞれ固定用リブ６０を設けている。このソケットカバー１ｄにおいては、第一当接面５２は背面側壁面４５の内壁面により構成され、第二当接面５３は側壁面４７の内壁面により構成され、第三当接面５４は正面側壁面４４の内壁面により構成されている。したがって、ソケットカバー１ｄの保持部６２内にリブは設けられていない。このソケットカバー１ｄにおいても、保持部６２を構成する第一当接面５２、第二当接面５３及び第三当接面５４並びに固定用リブ６０は、湯側ソケット２０の本体部２４の外形に沿う形状とされており、湯側ソケット２０の本体部２４に非弾性的に当接する形状に形成されているので、本体部２４に取り付けられたソケットカバー１ｃの保持部６２には、本体部２４に対して圧着することによる加重は加えられない状態とされている。本例のソケットカバーでは当接面にリブを用いていないので簡便に製造することができる。
【産業上の利用可能性】
【００４０】
本発明は給水栓のソケットカバーに広く用いることができる。
【符号の説明】
【００４１】
１ａ，１ｂ，１ｃ，１ｄ；ソケットカバー、２；湯水混合水栓、３；水栓本体、４；温度調節ハンドル、５；吐水切換ハンドル、６；吐水口、７；シャワー接続口、２０；湯側ソケット、２１；水側ソケット、２２；配管側接続部、２４；本体部、２６；給水栓側接続部、２８；調整スピンドル、４０；挿嵌部、４２；嵌合部、４３；第一挿通口、４４；正面側壁面、４５；背面側壁面、４６；開口部、４７；側壁面；４８；円筒部、４９；調整口、５０；第二挿通孔、５２；第一当接面、５３；第二当接面、５４；第三当接面、５６；第一リブ，５６ａ；第一突設部、５６ｂ；第二突設部、５６ｃ；第三突設部、５７；第二リブ、５７ａ；第一突設部、５７ｂ；第二突設部、５７ｃ；第三突設部、５８；テーパー部、６０；固定用リブ、６２；保持部、８０；ソケットカバー、８２；固定用爪、Ｘ；壁面。
【図１】
2011179192.tif 000003
【図２】
2011179192.tif 000004
【図３】
2011179192.tif 000005
【図４】
2011179192.tif 000006
【図５】
2011179192.tif 000007
【図６】
2011179192.tif 000008
【図７】
2011179192.tif 000009
【図８】
2011179192.tif 000010
【図９】
2011179192.tif 000011
【図１０】
2011179192.tif 000012
【図１１】
2011179192.tif 000013